(57)【要約】【課題】通信途中で携帯電話機のバッテリ蓄電量が不足した場合でも、電力を補足して通信を継続させることができる携帯電話機用補助電源を提供する。【解決手段】この携帯電話機用補助電源（以下、単に補助電源と呼ぶ）５０は、携帯電話機１１の電源蓄電量を増加させるために、この携帯電話機１１に装備された充電用コネクタ１１ａを介して電力を供給する補助電源装置５０であって、充放電可能なバッテリ（２次電池）１９と、充放電時における携帯電話機１１の電流制御を行なう制御基板１７と、バッテリ１９を充電するための外部充電器を接続する外部充電器用コネクタ１８と、充電用コネクタ１１ａと接続してバッテリ１９より電力を供給する出力コネクタ１４と、バッテリ１９、制御基板１７、外部充電器用コネクタ１８、及び出力コネクタ１４を実装し、携帯電話機１１に掛着可能なストラップ４を備えた外装カバー６と、を備えている。【選択図】図１
2011135491.tif 000002
【特許請求の範囲】
【請求項１】
携帯電話機の携帯側充電用コネクタに着脱されて該携帯電話機に装備された電池を充電する携帯電話機用補助電源装置であって、
充電可能な２次電池と、該２次電池への充電制御及び前記携帯電話機への電流制御を行なう制御基板と、前記２次電池を充電するために外部充電器を接続する外部充電器用コネクタと、前記携帯側充電用コネクタと着脱自在であり、且つ前記２次電池からの電力を前記携帯電話機に供給する出力コネクタと、前記２次電池、前記制御基板、前記外部充電器用コネクタ、及び前記出力コネクタを実装した外装カバーと、該外装カバーに取り付けられて前記携帯電話機に掛着可能なストラップと、を備えたことを特徴とする携帯電話機用補助電源装置。
【請求項２】
前記制御基板は、前記２次電池が過充電になることを防止する過充電保護回路と、充電中又は放電中であることを報知する表示手段と、前記出力コネクタを介して前記２次電池より電力を供給中に過電流が流れることを防止する過電流防止手段と、を備えたことを特徴とする請求項１に記載の携帯電話機用補助電源装置。
【請求項３】
前記制御基板は、前記外部充電器用コネクタを介して前記２次電池に充電中に前記出力コネクタを前記携帯側充電用コネクタに接続することにより、前記２次電池及び前記携帯電話機に装備された電池への充電を同時に行うことを特徴とする請求項１又は２に記載の携帯電話機用補助電源装置。
【請求項４】
前記表示手段は、発光ダイオードにより構成され、充電中又は放電中で発光色が異なるようにしたことを特徴とする請求項２に記載の携帯電話機用補助電源装置。
【請求項５】
前記外装カバーは、開閉自在な蓋部を前記出力コネクタ及び前記外部充電器用コネクタにそれぞれ備えていることを特徴とする請求項１乃至４の何れか一項に記載の携帯電話機用補助電源装置。
【請求項６】
前記外装カバーの表面、又は／及び裏面に、広告用シートを貼付可能としたことを特徴とする請求項１に記載の携帯電話機用補助電源装置。
【発明の詳細な説明】
【技術分野】
【０００１】
本発明は、携帯電話機用補助電源装置に関し、さらに詳しくは、携帯電話機を使用中にバッテリの蓄電量が不足したときに、外部からバッテリに電力を充電する携帯電話機用補助電源装置に関するものである。
【背景技術】
【０００２】
近年、携帯電話機は通信手段として必要不可欠なものとなっている。それに伴って、機能が多様化してメモリ容量が増大すると共に、表示機能も複雑に且つ大型化しているため、それらを駆動するための電源（バッテリ）の必要蓄電量も増大する傾向にある。そこで、バッテリ自体を高容量で、且つ小型化する技術課題に対して多くの検討が成され、初期のものに比べて高容量で小型にはなったが、まだ、バッテリ残量を気にしながら使用しているのが現状である。その結果、頻繁に充電することが必要となり、それを怠ると、稼働中にバッテリ蓄電量が不足して通話が中断したり、重要なメール情報が送信できないといった問題が発生する場合があった。
このような従来の課題を解決するために、特許文献１には、電話機本体と、電話機本体に脱着できるように装着されて電話機本体に電力を供給する内蔵バッテリを有する内蔵電池パックを備え、内蔵電池パックは、電話機本体の電源端子に電気接続される出力端子に加えて、ケースの外部に表出してサブ接続端子を備え、このサブ接続端子は、外部から供給される電力で内蔵バッテリを充電することなく出力端子に供給する非充電回路を介して電話機本体に電力を供給する携帯電話機用の補助電源について開示されている。
【先行技術文献】
【特許文献】
【０００３】
【特許文献１】特開２００６−３４０１１４公報
【発明の概要】
【発明が解決しようとする課題】
【０００４】
しかし、特許文献１に開示されている従来技術は、補助電源を接続したときに、内蔵バッテリを充電せず、電気的に並列に接続して電話機本体に電力を供給する構成であるため、内蔵バッテリ及び補助電源を充電する手段が別途必要となり、回路が複雑となり、補助電源のコストが高くなるといった問題がある。
本発明は、かかる課題に鑑みてなされたものであり、携帯電話機用補助電源装置は、２次電池、制御基板、外部充電器用コネクタ、出力コネクタ、外装カバー、及びストラップにより構成され、不使用時は、携帯電話機にストラップにより掛着しておき、使用時にストラップから外して、出力コネクタを携帯電話機の充電用コネクタに接続して、携帯電話機に装備されている電池を充電することにより、通信途中で携帯電話機の電池蓄電量が不足した場合でも、電池を充電して通信を継続させることができる携帯電話機用補助電源装置を提供することを目的とする。
【課題を解決するための手段】
【０００５】
本発明はかかる課題を解決するために、請求項１は、携帯電話機の携帯側充電用コネクタに着脱されて該携帯電話機に装備された電池を充電する携帯電話機用補助電源装置であって、充電可能な２次電池と、該２次電池への充電制御及び前記携帯電話機への電流制御を行なう制御基板と、前記２次電池を充電するために外部充電器を接続する外部充電器用コネクタと、前記携帯側充電用コネクタと着脱自在であり、且つ前記２次電池からの電力を前記携帯電話機に供給する出力コネクタと、前記２次電池、前記制御基板、前記外部充電器用コネクタ、及び前記出力コネクタを実装した外装カバーと、該外装カバーに取り付けられて前記携帯電話機に掛着可能なストラップと、を備えたことを特徴とする。
本発明では、常時、携帯電話機用補助電源装置を携帯電話機のストラップに掛着しておき、通話或いはメール配信中に、携帯電話機に装備された電池の蓄電量が不足したときに、即座に本発明の携帯電話機用補助電源装置を携帯電話機に装着する。その結果、携帯電話機用補助電源装置内の２次電池から携帯電話機に装備された電池を充電する。これにより、通話或いはメール配信の動作を中断することなく継続させることが可能となる。
請求項２は、前記制御基板は、前記２次電池が過充電になることを防止する過充電保護回路と、充電中又は放電中であることを報知する表示手段と、前記出力コネクタを介して前記２次電池より電力を供給中に過電流が流れることを防止する過電流防止手段と、を備えたことを特徴とする。
制御基板は、外部充電器用コネクタと出力コネクタの間に介在して、外部充電器から供給される電力により２次電池を充電する場合に、２次電池が過充電となるのを防止したり、携帯電話機に装着された場合に、２次電池から供給する電力が短絡されたときに、電力をシャットダウンして過電流が流れるのを防止する。また、利用者が外部から充放電状態を確認できるように、表示手段を備えている。これにより、充放電時の安全を確保し、利用者の利便性を高めることができる。
【０００６】
請求項３は、前記制御基板は、前記外部充電器用コネクタを介して前記２次電池に充電中に前記出力コネクタを前記充電用コネクタに接続することにより、前記２次電池及び前記携帯電話機に装備された電池への充電を同時に行うことを特徴とする。
本発明の携帯電話機用補助電源装置には、２次電池が使用されているので、適宜外部から充電する必要がある。また、携帯電話機の電源も一般的には、２次電池が使用されているため、適宜充電する必要がある。しかし、共通の充電器を使用する場合、携帯電話機用補助電源装置と携帯電話機とを個別に充電しなければならず、煩わしかった。そこで本発明では、外部充電器用コネクタを介して２次電池に充電中に出力コネクタを携帯側充電用コネクタに接続することにより、２次電池及び携帯電話機に装備された電池への充電を同時に行うことができる。これにより、充電の手間を簡略化して充電時間を短縮することができる。
請求項４は、前記表示手段は、発光ダイオードにより構成され、充電中又は放電中で発光色が異なるようにしたことを特徴とする。
利用者が外部から見たときに、現在充電中か放電中かを視認できることが重要である。本発明では、表示手段を発光ダイオードにより構成しているので、異なる発光色により発光することができる。これにより、目視により充放電何れであるかを判断でき、且つ消費電力を低減することができる。
【０００７】
請求項５は、前記外装カバーは、開閉自在な蓋部を前記出力コネクタ及び前記外部充電器用コネクタにそれぞれ備えていることを特徴とする。
携帯電話機用補助電源装置に使用されているコネクタは小型であるため、端子のピッチが非常に狭くできている。そのため、使用しないときに外部から異物が侵入してショートしたり、塵埃により端子が汚れて接触不良等を起こす原因となる。そこで本発明では、外装カバーに、出力コネクタ及び外部充電器用コネクタを保護するために開閉自在な蓋部をそれぞれ備えた。これにより、外部からの異物の侵入によるショートを防ぎ、端子の接触不良による障害を低減することができる。
請求項６は、前記外装カバーの表面、又は／及び裏面に、広告用シートを貼付可能としたことを特徴とする。
本発明の携帯電話機用補助電源装置は、通常時は携帯電話機のストラップに掛着されている。そのため、携帯電話機を使用すると必然的に人目につくようになる。そこで本発明では、外装カバーの表面、又は／及び裏面に、広告用シートを貼付できるように構成した。これにより、副次的効果として広告収入を得ることができる。
【発明の効果】
【０００８】
本発明によれば、常時、携帯電話機用補助電源装置を携帯電話機のストラップに掛着しておき、通話或いはメール配信中に、携帯電話機に装備された電池の蓄電量が不足したときに、即座に本発明の携帯電話機用補助電源装置を携帯電話機に装着することにより、通話或いはメール配信の動作を中断することなく継続させることが可能となる。
また、制御基板は、外部充電器から供給される電力により２次電池を充電する場合に、２次電池が過充電となるのを防止したり、携帯電話機に装着された場合に、２次電池から供給する電力が、短絡されたときに電力をシャットダウンして過電流が流れるのを防止する。また、利用者が外部から充放電状態を確認できるように、表示手段を備えているので、充放電時の安全を確保し、利用者の利便性を高めることができる。
また、外部充電器用コネクタを介して２次電池に充電中に出力コネクタを携帯側充電用コネクタに接続することにより、２次電池及び携帯電話機に装備された電池への充電を同時に行うことができるので、充電の手間を簡略化して充電時間を短縮することができる。
また、表示手段を発光ダイオードにより構成することにより、異なる発光色により発光することができるので、目視により充放電何れであるかを判断でき、且つ消費電力を低減することができる。
また、外装カバーは、出力コネクタ及び外部充電器用コネクタを保護するために開閉自在な蓋部をそれぞれ備えるので、外部からの異物の侵入によるショートを防ぎ、端子の接触不良による障害を低減することができる。
また、外装カバーの表面、又は／及び裏面に、広告用シートを貼付できるように構成したので、副次的効果として宣伝料として広告収入を得ることができる。
【図面の簡単な説明】
【０００９】
【図１】本発明の一実施形態に係る携帯電話機用補助電源装置の外観を示す図であり、（ａ）は側面図、（ｂ）は上面図、（ｃ）は内部構成図である。
【図２】本発明の補助電源装置が携帯電話機のストラップに掛着された状態を示す図である。
【図３】本発明の補助電源装置を携帯電話機に接続して電力を供給している様子を示す図である。
【図４】本発明の補助電源装置に内蔵されているバッテリを外部の充電器から充電する様子を示す図である。
【図５】本発明の補助電源装置に内蔵されているバッテリ、及び携帯電話機に装備されているバッテリを外部の充電器から同時に充電する様子を示す図である。
【図６】本発明の補助電源装置に備えられた制御基板の機能を説明するためのブロック図である。
【図７】本発明の制御基板の一実施例を示す回路図である。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
図１は本発明の一実施形態に係る携帯電話機用補助電源の外観を示す図であり、図１（ａ）は側面図、図１（ｂ）は上面図、図１（ｃ）は内部構成図である。この携帯電話機用補助電源装置（以下、単に補助電源装置と呼ぶ）５０は、携帯電話機１１の携帯側充電用コネクタ（以下、単に充電用コネクタと呼ぶ）１１aに着脱されて携帯電話機１１に装備された電池を充電する補助電源装置５０であって、充電可能なバッテリ（２次電池）１９と、バッテリ１９への充電制御及び携帯電話機１１への電流制御を行なう制御基板１７と、バッテリ１９を充電するために外部充電器３６を接続する外部充電器用コネクタ１８と、充電用コネクタ１１aと着脱自在にバッテリ１９より携帯電話機１１に電力を供給する出力コネクタ１４と、バッテリ１９、制御基板１７、外部充電器用コネクタ１８、及び出力コネクタ１４を実装した外装カバー６と、携帯電話機１１に掛着可能なストラップ４と、を備えている。尚、ストラップ４の先端には、携帯電話機１１に繋止されたストラップと嵌合させる嵌合部５が備えられている。また、外装カバー６の表面７には、発光ダイオード（表示手段）からの光が見えるように表示窓１０が設けられている。また、外装カバー６は、出力コネクタ１４及び外部充電器用コネクタ１８を保護するために開閉自在な蓋部１、３をそれぞれ備えている。蓋部１は軸９を支点として開閉する構造を有し、蓋部３は、一端を軸支されて開閉する構造を有している。
即ち、本実施形態では、常時、補助電源装置５０を携帯電話機１１のストラップ１３に掛着しておき、通話或いはメール配信中に、携帯電話１１に装備されたバッテリの蓄電量が不足したときに、即座に補助電源装置５０を携帯電話機１１の充電用コネクタ１１ａに装着する。その結果、補助電源装置５０内のバッテリ１９により携帯電話機１１に装備されたバッテリが充電される。これにより、通話或いはメール配信の動作を中断することなく継続させることが可能となる。
【００１２】
また、補助電源装置５０に使用されているコネクタは小型であるため、端子のピッチが非常に狭くできている。そのため、使用しないときに外部から異物が侵入してショートしたり、塵埃により端子が汚れて接触不良等を起こす原因となる。そこで本実施形態では、外装カバー６に、出力コネクタ１４及び外部充電器用コネクタ１８を保護するための開閉自在な蓋部１、３をそれぞれ備えた。これにより、外部からの異物の侵入によるショートを防ぎ、端子の接触不良による障害を低減することができる。
また、本発明の補助電源装置５０は、通常時は携帯電話機１１のストラップ１３に掛着されている。そのため、携帯電話機１１を使用すると必然的に人目につくようになる。そこで本実施形態では、外装カバー６の表面、又は／及び裏面に、広告用シートを貼付できるように構成した。これにより、副次的効果として宣伝量として広告収入を得ることができる。
【００１３】
図２は本発明の補助電源装置が携帯電話機のストラップに掛着された状態を示す図である。携帯電話機１１には落下防止や取り出しやすさ等の目的で、ストラップ１３が携帯電話機１１の穴１２に繋止されているのが一般的である。本発明では、携帯電話機１１のストラップ１３の先端に、補助電源装置５０の嵌合部５と嵌合する嵌合部１３ａを備える。この構成により、補助電源装置５０のストラップ４の嵌合部５と嵌合部１３ａを嵌合させ、携帯電話機１１に常時、補助電源装置５０を備えておくことができる。これにより、携帯電話機１１のバッテリ蓄電量が不足した場合に、嵌合部１３ａからストラップ４を外して、補助電源装置５０を携帯電話機１１に装着することにより、補助電源装置５０に充電された電力により携帯電話機１１に装備されたバッテリを充電することができる。
【００１４】
図３は本発明の補助電源装置を携帯電話機に接続して電力を供給している様子を示す図である。携帯電話機１１に電力を供給する場合、補助電源装置５０の出力コネクタ１４を携帯電話機１１の充電用コネクタ１１ａに嵌合させる必要がある。そこで、補助電源装置５０の蓋部１を開放し、出力コネクタ１４が使用可能な状態とする。その状態で、出力コネクタ１４の挿入方向を確認して充電用コネクタ１１ａと嵌合させる。電力の供給が開始されると、表示窓１０から発光ダイオードが、例えば赤色の光を発光して電力を供給開始していることを確認することができる。本発明では、補助電源装置５０を携帯電話機１１に接続するだけで自動的にバッテリの充電が開始され、携帯電話１１の電源を一旦ＯＦＦにする必要がなく、利便性が高い補助電源装置を提供することができる。
【００１５】
図４は本発明の補助電源装置に内蔵されているバッテリを外部の充電器から充電する様子を示す図である。補助電源装置５０には充電可能なバッテリ（２次電池）１９が内蔵されている。バッテリ１９としてはリチュームイオン・バッテリが多く使用され、充放電の回数が３００〜４００回といわれている（使用条件により異なる）。従って、バッテリ１９の蓄電量が減少した場合は、外部の充電器から充電する必要がある。そこで本発明では、蓋部３を開放して外部充電器用コネクタ１８を使用可能な状態とし、外部充電器用コネクタ１８に、充電器３６から伸びたケーブル１５の先端に備えられたソケット１６を嵌合させる。そして、充電器３６の電源をＯＮすることにより、充電器３６からソケット１６を介して充電電流が流れてバッテリ１９を充電する。このとき、表示窓１０から発光ダイオードが、例えば緑色の光を発光して充電が開始されていることを確認することができる。尚、充電器３６の代わりに十分充電された他の補助電源装置を接続して、バッテリ１９に充電するようにしてもよい。
即ち、利用者が外部から見たときに、現在充電中か放電中かを視認できることが重要である。本実施形態では、表示手段を発光ダイオードにより構成しているので、異なる発光色により発光することができる。これにより、目視により充放電何れであるかを判断でき、且つ消費電力を低減することができる。
【００１６】
図５は本発明の補助電源に内蔵されているバッテリ、及び携帯電話機に内蔵されているバッテリを外部の充電器から同時に充電する様子を示す図である。図５が図４と異なる点は、補助電源装置５０の蓋部１を開放して、出力コネクタ１４と携帯電話機１１の充電用コネクタ１１ａとを嵌合している点である。この場合、充電器３６は補助電源装置５０に内蔵されたバッテリ１９と、携帯電話機１１に装備されているバッテリを同時に充電可能な容量を備えていることが必要である。
即ち、本発明の補助電源装置５０には、バッテリ（２次電池）１９が使用されているので、適宜外部から充電する必要がある。また、携帯電話機１１の電源も一般的には、２次電池が使用されているため、適宜充電する必要がある。しかし、共通の充電器を使用する場合、補助電源装置５０と携帯電話機１１とを個別に充電しなければならず、煩わしかった。そこで本実施形態では、外部充電器用コネクタ１８を介してバッテリ１９に充電中に出力コネクタ１４を充電用コネクタ１１ａに接続することにより、バッテリ１９及び携帯電話機１１に装備されたバッテリへの充電を同時に行うことができる。これにより、充電の手間を簡略化して充電時間を短縮することができる。
【００１７】
図６は本発明の補助電源に備えられた制御基板の機能を説明するためのブロック図である。同じ構成要素には同じ参照番号を付して説明する。制御基板１７は、バッテリ１９が過充電になることを防止する過充電保護回路３１と、充電中又は放電中であることを報知するＬＥＤ３２、ＬＥＤ３３（表示手段）と、出力コネクタ１４を介してバッテリ１９より電力を供給中に過電流が流れることを防止する過電流防止回路（過電流防止手段）３２と、充電器３６から供給される電力をバッテリ１９に充電する電流を制御する充電制御回路３０と、充電器３６から携帯電話機１１に備えられたバッテリを充電するためのダイオード２４と、を備えている。
即ち、制御基板１７は、外部充電器用コネクタ１８と出力コネクタ１４の間に介在して、外部充電器３６から供給される電力によりバッテリ１９を充電する場合に、バッテリ１９が過充電となるのを防止したり、携帯電話機１１に装着された場合に、バッテリ１９から供給する電力が、短絡されたときに電力をシャットダウンして過電流が流れるのを防止する。また、利用者が外部から充放電状態を確認できるように、ＬＥＤ３２、ＬＥＤ３３を備えている。これにより、充放電時の安全を確保し、利用者の利便性を高めることができる。
【００１８】
図７は制御基板の一実施例を示す回路図である。同じ構成要素には図６と同じ参照番号を付して説明する。ここでＩＣ２２は充電用ＩＣ、ＩＣ２０はバッテリ保護用ＩＣ、ＩＣ２６はブーストコントローラＩＣである。外部充電器用コネクタ１８から供給された充電電力は、ＩＣ２２を介してバッテリ１９に供給されると同時にＬＥＤ２１を点灯する。ＩＣ２０はバッテリ１９が過充電されて膨張するのを防止する機能を有する。また、逆流防止用ダイオード２４を介して出力コネクタに接続されている。バッテリ１９の出力はインダクタ２３を介してＩＣ２６に供給され、所定の電圧にブーストされて抵抗２７を介して出力コネクタ１４に接続される。従って、携帯電話機１１が出力コネクタ１４に接続されると、ＬＥＤ２８が点灯する。また、出力が短絡されると、トランジスタ２９により過電流が流れないようにＩＣ２６により出力がシャットダウンされる。
【符号の説明】
【００１９】
１  蓋部、２  凸部、３  蓋部、４  ストラップ、５  嵌合部、６  外装カバー、７  表面、８  穴、９  軸、１０  表示窓、１１  携帯電話機、１１a  充電用コネクタ、１２  ストラップ用穴、１３  ストラップ、１４  出力コネクタ、１５  ケーブル、１６  ソケット、１７  制御基板、１８  外部充電器用コネクタ、１９  バッテリ、３６  充電器、５０  携帯電話機用補助電源装置
【図１】
2011135491.tif 000003
【図２】
2011135491.tif 000004
【図３】
2011135491.tif 000005
【図４】
2011135491.tif 000006
【図５】
2011135491.tif 000007
【図６】
2011135491.tif 000008
【図７】
2011135491.tif 000009